(57)【特許請求の範囲】
【請求項１】
センタ側光回線終端装置と少なくとも１つのユーザ側光回線終端装置とを備える時分割多重伝送システムにおいて、
前記センタ側光回線終端装置は、
前記センタ側光回線終端装置に接続すべきユーザ側光回線終端装置の属性情報をユーザ側光回線終端装置に送信すると共に、前記属性情報に基づいて、外部からの信号を受信する受信手段の設定を変更し、
前記ユーザ側光回線終端装置は、
前記センタ側光回線終端装置から送信された属性情報に基づいて応答信号を前記受信手段に送信すると共に、前記ユーザ側光回線終端装置自身の元の属性を示す属性情報を前記受信手段に送信することを特徴とする時分割多重伝送システム。
【請求項２】
前記センタ側光回線終端装置は、
前記センタ側光回線終端装置に接続すべきユーザ側光回線終端装置の属性情報を指定する指定手段と、
前記指定手段により指定された属性情報をユーザ側光回線終端装置に送信する第１送信手段と、
前記属性情報に基づいて前記受信手段の設定を変更する設定変更手段と、
前記ユーザ側光回線終端装置から送信される応答信号に基づいて、前記ユーザ側光回線終端装置を登録する登録手段とを備えることを特徴とする請求項１記載の時分割多重伝送システム。
【請求項３】
前記ユーザ側光回線終端装置は、
前記センタ側光回線終端装置から送信された属性情報に基づいて当該ユーザ側光回線終端装置の属性を変更する属性変更手段と、
前記ユーザ側光回線終端装置の元の属性を示す元属性情報を生成する元属性情報生成手段と、
前記属性変更手段により変更された属性に基づいて応答信号を前記受信手段に送信すると共に、前記元属性情報を前記受信手段に送信する第２送信手段とを備えることを特徴とする請求項１記載の時分割多重伝送システム。
【請求項４】
前記属性情報は、前記ユーザ側光回線終端装置の伝送速度であることを特徴とする請求項１乃至３のいずれか１項に記載の時分割多重伝送システム。
【請求項５】
センタ側光回線終端装置と少なくとも１つのユーザ側光回線終端装置とを備える時分割多重伝送システムの制御方法であって、
前記センタ側光回線終端装置は、前記センタ側光回線終端装置に接続すべきユーザ側光回線終端装置の属性情報をユーザ側光回線終端装置に送信すると共に、前記属性情報に基づいて、外部からの信号を受信する受信手段の設定を変更し、
前記ユーザ側光回線終端装置は、前記送信された属性情報に基づいて応答信号を前記受信手段に送信すると共に、前記ユーザ側光回線終端装置自身の元の属性を示す属性情報を前記受信手段に送信することを特徴とする時分割多重伝送システムの制御方法。
【発明の詳細な説明】
【技術分野】
【０００１】
本発明は、時分割多重伝送システム及び該システムの制御方法に関し、特に、センタ側光回線終端装置と複数のユーザ側光回線終端装置とを備える、一対多（Point-to-Multipoint）接続型の時分割多重伝送システム及び該システムの制御方法に関する。
【背景技術】
【０００２】
図８において、従来の時分割多重伝送（ＴＤＭ）システムでは、センタ側光回線終端装置（ＯＬＴ（Optical Line Terminal）装置）とユーザ側光回線終端装置（ＯＮＵ（Optical Network Unit）装置）とが一対多接続されており、上り信号（ＯＮＵ装置からＯＬＴ装置に伝送する信号）の伝送速度が１．２５Ｇｐ／ｓであるＯＮＵ装置と１０．３１２５Ｇｐ／ｓであるＯＮＵ装置とが混在している。【０００３】
図９は、図８におけるＯＬＴ装置の構成を概略的に示す図であり、（ａ）はＯＬＴ装置の受信器、（ｂ）はポストアンプ（ＬＡ）、（ｃ）はプリアンプの（ＴＩＡ）の構成を示す。【０００４】
図９において、ＯＬＴ装置では、光受光素子であるＡＰＤ（Avalanche Photodiode）で受光して、プリアンプであるＴＩＡ（Trans-Impedance Amplifier）で増幅した後に差動の電気出力を分岐する。分岐した電気出力の一方は１Ｇ用のポストアンプであるＬＡ（Limiting Amplifier）で増幅し、他方を１０Ｇ用のＬＡで増幅する。各ＬＡの出力側にはビット識別回路であるＢＤＣ（Bit rate Discrimination Circuit）が接続されており、このＢＤＣは、１Ｇ用ＬＡからの出力に対しては１Ｇの信号が出力されているか否かを判定し、１０Ｇ用ＬＡからの出力に対しては１０Ｇの信号が出力されているか否かを判定する。この判別の結果、有効な信号が出力されていると判定されたときに、各ＬＡの出力側に接続されているゲート回路であるＧＣ（Gate Circuit）から信号が出力される（例えば、原一貴、「A 1.25/10.3-Gbit/s AC-coupled Dual-rate Burst-mode Receiver without Reset Signals」、第３４回ヨーロッパ光通信会議及び展示会（34th European Conference and Exhibition on Optical Communication）、（ベルギー）、２００８年９月２１日〜２５日、Ｗｅ２Ｆ１参照）。【０００５】
しかしながら、上記の技術では、プリアンプ（ＴＩＡ）の差動出力を分岐し、各分岐出力を異なる伝送速度に対応したゲート回路（ＧＣ）に送信している。このため、プリアンプ以降の出力はシングル出力になっている。一般に、差動出力はシングル出力に対して、コモンモード・ノイズ、電源変動、出力ラインからのデジタル信号の不要輻射（ＥＭＩ：Electro Magnetic Interference）を夫々低減できるといった利点があるが、上記技術のように差動出力を分岐するとこれらの利点が損なわれ、その結果、例えば受信感度の劣化などの特性への影響が生じるという問題がある。【０００６】
また、一般的なプリアンプ（ＴＩＡ）は一対の差動出力のみを有するため、２種類の伝送速度にしか対応することができない。ＴＩＡの出力側に分岐出力用のＩＣを配置することにより解消可能であるが、単純なＩＣでは、光入力レベルの変動によるＴＩＡの出力振幅の変動により、出力振幅のＤｕｔｙ変動や、波形歪みによる受信感度劣化やバースト応答信号に対する応答速度の低下を招く。また、回路構成が複雑になるため、コストアップ、サイズアップ、及び消費電力の増加を生じる。【０００７】
さらに、ＢＤＣが受信した信号に基づいて伝送速度が判定されるため、伝送速度を判定するための判定用信号が必要となり、更には該判定のための時間を要する。特に、２種類の伝送速度の比が整数倍である場合には、データパターンが近いために上記判定が困難となり、多くの時間を要することとなる。また、上記判定を実行するために信号毎に判定用信号（ＩＤ）をデータの前に付加する必要があるが、これにより、単位時間に占める有効データの伝送時間が短くなるため、システム全体として伝送効率が低下する。【０００８】
加えて、伝送速度を判定するためのビット識別回路（ＢＤＣ）が必要となるため、コストアップ、サイズアップ、及び消費電力の増加を生じる。
【発明の概要】
【発明が解決しようとする課題】
【０００９】
本発明の目的は、受信感度の劣化を抑制しつつ伝送効率を向上することができ、加えてコストアップ、サイズアップ、及び消費電力の増加を防止することができる時分割多重伝送システム及び該システムの制御方法を提供することにある。【００１４】
本発明の第２の態様によれば、センタ側光回線終端装置と少なくとも１つのユーザ側光回線終端装置とを備える時分割多重伝送システムにおいて、前記センタ側光回線終端装置は、前記センタ側回線終端装置に接続すべきユーザ側光回線終端装置の属性情報をユーザ側光回線終端装置に送信すると共に、前記属性情報に基づいて、外部からの信号を受信する受信手段の設定を変更し、前記ユーザ側光回線終端装置は、前記センタ側光回線終端装置から送信された属性情報に基づいて応答信号を前記受信手段に送信すると共に、前記ユーザ側光回線終端装置自身の元の属性を示す属性情報を前記受信手段に送信することを特徴とする。【００１５】
本発明の好ましい態様によれば、前記センタ側光回線終端装置は、前記センタ側回線終端装置に接続すべきユーザ側光回線終端装置の属性情報を指定する指定手段と、前記指定手段により指定された属性情報をユーザ側光回線終端装置に送信する第１送信手段と、前記属性情報に基づいて前記受信手段の設定を変更する設定変更手段と、前記ユーザ側光回線終端装置から送信される応答信号に基づいて、前記ユーザ側光回線終端装置を登録する登録手段とを備えることを特徴とする。【００１６】
本発明の好ましい態様によれば、前記ユーザ側光回線終端装置は、前記センタ側光回線終端装置から送信された属性情報に基づいて当該ユーザ側光回線終端装置の属性を変更する属性変更手段と、前記ユーザ側光回線終端装置の元の属性を示す元属性情報を生成する元属性情報生成手段と、前記属性変更手段により変更された属性に基づいて応答信号を前記受信手段に送信すると共に、前記元属性情報を前記受信手段に送信する第２送信手段とを備えることを特徴とする。【００１７】
本発明の好ましい態様によれば、前記属性情報は、前記ユーザ側光回線終端装置の伝送速度であることを特徴とする。【００１９】
本発明の第４の態様によれば、センタ側光回線終端装置と少なくとも１つのユーザ側光回線終端装置とを備える時分割多重伝送システムの制御方法であって、前記センタ側光回線終端装置は、前記センタ側回線終端装置に接続すべきユーザ側光回線終端装置の属性情報をユーザ側光回線終端装置に送信すると共に、前記属性情報に基づいて、外部からの信号を受信する受信手段の設定を変更し、前記ユーザ側光回線終端装置は、前記送信された属性情報に基づいて応答信号を前記受信手段に送信すると共に、前記ユーザ側光回線終端装置自身の元の属性を示す属性情報を前記受信手段に送信することを特徴とする。
【図面の簡単な説明】
【００２０】
【図１】図１は、本発明の第１の実施の形態に係る時分割多重伝送システムの構成を概略的に示すブロック図である。
【図２】図２は、図１におけるＯＬＴ装置の構成を示すブロック図である。
【図３】図３は、図１におけるＯＮＵ装置の構成を示すブロック図である。
【図４】図４は、図１の時分割多重伝送システムで実行される登録処理を示すフロー図である。
【図５】図５は、本発明の第２の実施の形態に係る時分割多重伝送システムにおけるＯＬＴ装置の構成を概略的に示すブロック図である。
【図６】図６は、本第２の実施の形態に係る時分割多重伝送システムにおけるＯＮＵ装置の構成を概略的に示すブロック図である。
【図７】図７は、本第２の実施の形態に係る時分割多重伝送システムで実行される制御方法を示すフロー図である。
【図８】図８は、従来の時分割多重伝送システムの構成を概略的に示す図である。
【図９】図９は、図８におけるＯＬＴ装置の構成を概略的に示す図であり、（ａ）はＯＬＴ装置の受信器、（ｂ）はポストアンプ（ＬＡ）、（ｃ）はプリアンプの（ＴＩＡ）の構成を示す。
【発明を実施するための形態】
【００２１】
以下、本発明の実施の形態を図面を参照しながら詳細に説明する。
【００２２】
図１は、本発明の第１の実施の形態に係る時分割多重伝送システムの構成を概略的に示すブロック図である。
【００２３】
図１において、時分割多重伝送システムは、センタ側光回線終端装置１０（以下、「ＯＬＴ装置」という）と、該ＯＬＴ装置と光スプリッタ３０を介して一対多接続された複数のユーザ側光回線終端装置（以下、「ＯＮＵ装置」という）２０−１，２０−２，２０−３・・・とで構成されている。
【００２４】
図２は、図１におけるＯＬＴ装置１０の構成を示すブロック図であり、図３は、図１におけるＯＮＵ装置２０の構成を示すブロック図である。
【００２５】
図２において、ＯＬＴ装置１０は、ＯＮＵ装置２０に信号を送信する送信回路（第１送信手段）１１と、ＯＮＵ装置からの信号を受信する受信回路（受信手段）１２と、送信回路１１及び受信回路１２に接続され、送信回路１１及び受信回路１２の信号の送受信を制御する送受信制御回路１３とを備える。
【００２６】
送受信制御回路１３は、データの伝送速度を指定する伝送速度指定情報（属性情報）を生成し、該伝送速度指定情報を送信回路１１に送信する伝送速度指定情報生成回路（指定手段）１４と、伝送速度指定情報生成回路１４により生成された伝送速度指定情報に含まれる伝送速度に基づいて設定情報を生成し、該設定情報を受信回路１２に送信する設定情報生成回路（設定変更手段）１５とを有する。
【００２７】
また、ＯＬＴ装置１０は、上位ネットワーク、例えばギガビットイーサネット等のメトロネットワークからのデータを受信する受信回路１６と、該上位ネットワークにデータを送信する送信回路１７とを備える。受信回路１６及び送信回路１７は送受信制御回路１３に接続されており、送受信制御回路１３は受信回路１６及び送信回路１７のデータの送受信を制御する。
【００２８】
図３において、ＯＮＵ装置２０は、ＯＬＴ装置１０に信号を送信する送信回路（第２送信手段）２１と、ＯＬＴ装置１０からの信号を受信する受信回路２２と、送信回路２１及び受信回路２２に接続され、送信回路２１及び受信回路２２の信号の送受信を制御する送受信制御回路２３とを備える。
【００２９】
送受信制御回路２３は、ＯＬＴ装置１０から送信された伝送速度指定情報に含まれる伝送速度が、ＯＮＵ装置２０自身の伝送速度と一致するか否かを判定する伝送速度判定回路（判定手段）２４を有する。この送受信制御回路２３は、伝送速度指定情報に含まれる伝送速度がＯＮＵ装置２０自身の伝送速度と一致すると判定された場合に、当該伝送速度でデータをＯＬＴ装置１０に送信する。
【００３０】
また、ＯＮＵ装置２０は、下位ネットワーク、例えばＰＣ端末からのデータを受信する受信回路２５と、該下位ネットワークにデータを送信する送信回路２６とを備える。受信回路２５及び送信回路２６は送受信制御回路２３に接続されており、送受信制御回路２３は受信回路２５及び送信回路２６のデータの送受信を制御する。
【００３１】
上記のように構成される時分割多重伝送システムでは、新規にＯＮＵ装置を登録する際に、以下のように登録処理が実行される。
【００３２】
図４は、図１の時分割多重伝送システムで実行される制御方法を示すフロー図である。
【００３３】
本実施の形態では、ＩＥＥＥ８０２．３で標準化されているＧＥ−ＰＯＮ（Gigabit Ethernet-Passive Optical Network）で用いられているディスカバリプロセス（Discovery Process）を元に、１．２５Ｇｐ／ｓ（以下、単に「１Ｇ」という）と１０．３１２５Ｇｐ／ｓ（以下、単に「１０Ｇ」という）の伝送速度で信号をＯＬＴ装置にて受信する場合のフローについて説明する。尚、ディスカバリプロセスとは、ＯＬＴ装置及びＯＮＵ装置間の双方向の回線を確立する処理である。
【００３４】
図４において、先ず、ＯＬＴ装置は、新規にＯＮＵ装置が追加されたか否かを定期的に確認するべく、所定のタイミング毎に、応答を許可するＯＮＵ装置の属性を指定する属性指定情報をＯＮＵ装置に送信する（ステップＳ４０１）。具体的には、ＯＬＴ装置は、ディスカバリゲート（Discovery Gate）と呼ばれる上り信号の送信許可フレームをＯＮＵ装置に送信する際に、応答を許可するＯＮＵ装置の伝送速度を指定し、該伝送速度指定情報をＯＮＵ装置に送信する。例えば、あるタイミングでは上り信号（ＯＮＵ装置からＯＬＴ装置への信号）の伝送速度が１ＧのＯＮＵ装置のみ応答を許可するように伝送速度を指定する。
【００３５】
次に、ＯＬＴ装置の送受信制御回路は、送信許可フレームを送信するタイミング毎に、応答を許可するＯＮＵ装置の属性をＯＬＴ装置内の受信回路に送信し、該属性に基づいて受信回路を最適な設定に変更する（ステップＳ４０２）。具体的には、ＯＬＴ装置内の受信回路では、送信された伝送速度情報に基づいて、プリアンプ（ＴＩＡ）やポストアンプ（ＬＡ）の帯域の変更、ＴＩＡ／ＬＡの後段に位置するＣＤＲ（Clock Data Recovery）回路の基準クロックの変更、符号化処理の変更等が行われる。例えば、応答を許可するＯＮＵ装置の伝送速度情報が１Ｇである場合、伝送速度が１Ｇであるデータを受信可能となるように上記パラメータが変更される。
【００３６】
一方、ＯＮＵ装置は、ＯＬＴ装置から送信許可フレームを受信すると、ＯＬＴ装置で指定された属性指定情報に含まれる属性が、予め設定された自身の属性と一致するか否かを判定する。属性指定情報に含まれる属性が自身の属性と一致する場合は、応答信号をＯＬＴ装置に送信する（ステップＳ４０３）。具体的には、ＯＮＵ装置は、ＯＬＴ装置で指定された伝送速度が自身の伝送速度と一致するか否かを判定し、一致する場合にのみレジスタリクエスト（Resister Request）と呼ばれる応答フレームをＯＬＴ装置に送信し、一致しない場合は応答フレームをＯＬＴ装置に送信しない。例えば、ＯＬＴ装置で指定された伝送速度が１Ｇである場合、上り信号の伝送速度が１ＧのＯＮＵ装置のみが、応答フレームをＯＬＴ装置に送信する。
【００３７】
このとき、ＯＬＴ装置から送信許可フレームを受け取ったＯＮＵ装置は、上り時の衝突を避けるため、所定時間遅らせて（ランダム・ディレイ）応答フレームを送信する。ＯＮＵ装置が送信許可フレームを受け取った時刻をＴ１、応答信号を送信する時刻をＴ２とすると、ランダム・ディレイDｔは、Dｔ＝Ｔ２−Ｔ１（Ｔ２＞Ｔ１）となる。ＯＮＵ装置は、時刻情報としてのＴ１及びＴ２を応答フレームと共にＯＬＴ装置に送信する。
【００３８】
ＯＬＴ装置は、ＯＮＵ装置から応答フレームを受信すると、レジスタ（Resister）フレームと共にＬＬＩＤ（Logical Link IＤ）をＯＮＵ装置に送信する（ステップＳ４０４）。その後、ＯＬＴ装置は、応答フレームと共に送信された時刻情報（Ｔ１及びＴ２）と応答フレームを受信した時刻情報Ｔ３とに基づいて算出された次の上り信号の時刻情報Ｔ５及びデータ送信時間ＤＬを、ゲート（Gate）フレームと共に送信する（ステップＳ４０５）。
【００３９】
そして、ＯＮＵ装置は、ゲートフレームを受信すると、時刻Ｔ５からデータ送信時間ＤＬの間にレジスタ確認（Resister Ack）フレームをＯＬＴ装置に送信する（ステップＳ４０６）。
【００４０】
ＯＬＴ装置は、ＯＮＵ装置からレジスタ確認フレームを受信すると、該レジスタ確認フレームに基づいて当該ＯＮＵ装置をシステムに登録して（登録手段）、本処理を終了する。
【００４１】
また、他のタイミングにおいて、ＯＬＴ装置が、応答を許可するＯＮＵ装置の伝送速度を１０Ｇに指定し、該伝送速度指定情報をＯＮＵ装置に送信した場合は、上り信号の伝送速度が１０ＧのＯＮＵ装置のみが、応答フレームをＯＬＴ装置に送信する。また、更に他のタイミングにおいて、ＯＬＴ装置が、応答を許可するＯＮＵ装置の伝送速度を所定の速度に指定し、該伝送速度指定情報をＯＮＵ装置に送信した場合は、上り信号の伝送速度が所定の速度であるＯＮＵ装置のみが、応答フレームをＯＬＴ装置に送信する。これにより、３種類以上の伝送速度を有するＯＮＵ装置がシステム内に混在した場合であっても、各ＯＮＵ装置を登録することが可能となる。
【００４２】
以上説明したように、本実施の形態によれば、ＯＬＴ装置は、自身に接続すべきＯＮＵ装置の伝送速度を指定して、該指定した伝送速度をＯＮＵ装置に送信すると共に、当該伝送速度に基づいて受信回路１２の設定を変更する。一方、ＯＮＵ装置は、送信回路１１から送信された伝送速度が自身の伝送速度に一致したときに、応答フレームを受信回路１２に送信する。ＯＬＴ装置は、ＯＮＵ装置から送信される信号の伝送速度を予め認識することができるので、受信後に信号を判定する必要がなく、同期を確立するための時間を短縮することができる。よって、単位時間に占めるデータの比率を増加することが可能となり、伝送効率を向上することができる。また、受信回路でプリアンプ（ＴＩＡ）の作動出力を分岐する必要がないため、受信感度の劣化を抑制することが可能となる。
【００４３】
また、ＯＬＴ装置は、信号の伝送速度を判定する回路が不要となり、また、送信許可フレームを送信するタイミング毎に、受信回路１２の設定を変更するので、伝送速度が粗増加することによるＯＬＴ装置の部品点数の増加を防止することができる。よって、コストダウン、サイズアップ、及び消費電力の増加を防止することができる。
【００４４】
尚、ＯＬＴ装置で受信するタイミングを常に指定することにより、ＯＬＴ装置は、受信回路１２が受信する信号の伝送速度を予め認識することができる。したがって、既に登録されているＯＮＵ装置の最適な設定を行うことも可能となる。
【００４５】
また、本実施の形態に係る時分割多重伝送システムを、従来のＯＮＵ装置が混在したシステムに適用することもできる。この場合、応答許可フレームを別に設け、さらに、従来のＯＮＵ装置が上記応答許可フレームを受信しても無効と判定する信号を使用する。これにより、本実施の形態に係るＯＮＵ装置のみの登録処理を実行することが可能となる。
【００４６】
図５は、本発明の第２の実施の形態に係る時分割多重伝送システムにおけるＯＬＴ装置の構成を概略的に示すブロック図であり、図６は、本第２の実施の形態に係る時分割多重伝送システムにおけるＯＮＵ装置の構成を概略的に示すブロック図である。本実施の形態に係る時分割多重伝送システムは、ＯＬＴ装置５０と、該ＯＬＴ装置と光スプリッタ３０を介して一対多接続された複数のＯＮＵ装置６０−１，６０−２，６０−３・・・とで構成されている。
【００４７】
図５において、ＯＬＴ装置５０は、ＯＮＵ装置６０に信号を送信する送信回路（第１送信手段）５１と、ＯＮＵ装置からの信号を受信する受信回路（受信手段）５２と、送信回路５１及び受信回路５２に接続され、送信回路５１及び受信回路５２の信号の送受信を制御する送受信制御回路５３とを備える。
【００４８】
送受信制御回路５３は、データの伝送速度を指定する伝送速度指定情報（属性情報）を生成し、該伝送速度指定情報を送信回路５１に送信する伝送速度指定情報生成回路（指定手段）５４と、伝送速度指定情報生成回路５４により生成された伝送速度指定情報に含まれる伝送速度に基づいて設定情報を生成し、該設定情報を受信回路５２に送信する設定情報生成回路（設定変更手段）５５とを有する。
【００４９】
また、ＯＬＴ装置５０は、上位ネットワーク、例えばギガビットイーサネット等のメトロネットワークからのデータを受信する受信回路５６と、該上位ネットワークにデータを送信する送信回路５７とを備える。受信回路５６及び送信回路５７は送受信制御回路５３に接続されており、送受信制御回路５３は受信回路５６及び送信回路５７のデータの送受信を制御する。
【００５０】
図６において、ＯＮＵ装置６０は、ＯＬＴ装置５０に信号を送信する送信回路（第２送信手段）６１と、ＯＬＴ装置５０からの信号を受信する受信回路６２と、送信回路６１及び受信回路６２に接続され、送信回路６１及び受信回路６２の信号の送受信を制御する送受信制御回路６３とを備える。
【００５１】
送受信制御回路６３は、ＯＬＴ装置５０から送信された伝送速度指定情報に基づいて上り信号の伝送速度を変更する伝送速度変更回路（属性変更手段）６４と、ＯＮＵ装置６０の元（本来）の伝送速度を示す元伝送速度情報を生成し、該元伝送速度情報を送信回路６１に送信する元伝送速度情報生成回路（元属性情報生成回路）６５とを有する。
【００５２】
また、ＯＮＵ装置６０は、下位ネットワーク、例えばＰＣ端末からのデータを受信する受信回路６６と、該下位ネットワークにデータを送信する送信回路６７とを備える。受信回路６６及び送信回路６７は送受信制御回路６３に接続されており、送受信制御回路６３は受信回路６６及び送信回路６７のデータの送受信を制御する。
【００５３】
図７は、本第２の実施の形態に係る時分割多重伝送システムで実行される登録処理を示すフロー図である。本実施の形態では、ＩＥＥＥ８０２．３で標準化されているＧＥ−ＰＯＮで用いられているディスカバリプロセス（Discovery Process）を元に、１．２５Ｇｐ／ｓ（以下、単に「１Ｇ」という）と１０．３１２５Ｇｐ／ｓ（以下、単に「１０Ｇ」という）の伝送速度で信号をＯＬＴ装置にて受信する場合のフローについて説明する。尚、ディスカバリプロセスとは、ＯＬＴ装置及びＯＮＵ装置間の双方向の回線を確立する処理である。
【００５４】
図７において、先ず、ＯＬＴ装置は、新規にＯＮＵ装置が追加されたか否かを定期的に確認するべく、所定のタイミング毎に、応答を許可するＯＮＵ装置の属性を指定する属性指定情報をＯＮＵ装置に送信する（ステップＳ７０１）。具体的には、ＯＬＴ装置は、ディスカバリゲート（Discovery Gate）と呼ばれる上り信号の送信許可フレームをＯＮＵ装置に送信する際に、応答を許可するＯＮＵ装置の伝送速度を指定し、該伝送速度指定情報をＯＮＵ装置に送信する。例えば、あるタイミングでは上り信号（ＯＮＵ装置からＯＬＴ装置への信号）の伝送速度を１Ｇと指定する。
【００５５】
次に、ＯＬＴ装置の送受信制御回路は、送信許可フレームを送信するタイミング毎に、応答を許可するＯＮＵ装置の属性をＯＬＴ装置内の受信回路に送信し、該属性に基づいて受信回路を最適な設定に変更する（ステップＳ７０２）。具体的には、ＯＬＴ装置内の受信回路では、設定情報生成回路５５から送信された設定情報、すなわち伝送速度情報に基づいて、プリアンプ（ＴＩＡ）やポストアンプ（ＬＡ）の帯域の変更、ＴＩＡ／ＬＡの後段に位置するＣＤＲ（Clock Data Recovery）回路の基準クロックの変更、符号化処理の変更等が行われる。例えば、指定された伝送速度が１Ｇである場合、伝送速度が１Ｇであるデータを受信可能となるように上記パラメータが変更される。
【００５６】
一方、ＯＮＵ装置は、ＯＬＴ装置から送信許可フレームを受信すると、ＯＬＴ装置により指定された伝送速度で、レジスタリクエスト（Resister Request）と呼ばれる応答フレームをＯＬＴ装置に送信する（ステップＳ７０３）。また、ＯＮＵ装置は、自身の元の伝送速度（実際に使用される上り信号の伝送速度）を示す元伝送速度情報を応答フレームと共にＯＬＴ装置に送信する。例えば、ＯＬＴ装置により指定された伝送速度が１Ｇであり、ＯＮＵ装置の元の伝送速度が１０Ｇである場合、１Ｇの伝送速度で応答フレームを送信すると共に、元の伝送速度である「１０Ｇ」を元伝送速度情報としてＯＬＴ装置に送信する。
【００５７】
このとき、ＯＬＴ装置から送信許可フレームを受け取ったＯＮＵ装置は、上り時の衝突を避けるため、所定時間遅らせて（ランダム・ディレイ）応答フレームを送信する。ＯＮＵ装置が送信許可フレームを受け取った時刻をＴ１、応答信号を送信する時刻をＴ２とすると、ランダム・ディレイＤｔは、Ｄｔ＝Ｔ２−Ｔ１（Ｔ２＞Ｔ１）となる。ＯＮＵ装置は、時刻情報としてのＴ１及びＴ２を応答フレームと共にＯＬＴ装置に送信する。
【００５８】
ＯＬＴ装置は、ＯＮＵ装置から応答フレームを受信すると、レジスタ（Resister）フレームと共にＬＬＩＤ（Logical Link ＩＤ）をＯＮＵ装置に送信する（ステップＳ７０４）。その後、ＯＬＴ装置は、応答フレームと共に送信された時刻情報（Ｔ１及びＴ２）と応答フレームを受信した時刻情報Ｔ３とに基づいて算出された次の上り信号の時刻情報Ｔ５及びデータ送信時間DＬを、ゲート（Gate）フレームと共に送信する（ステップＳ７０５）。
【００５９】
そして、ＯＮＵ装置は、ＯＬＴ装置からゲートフレームを受信すると、時刻Ｔ５からデータ送信時間DＬの間にレジスタ確認（Resister Ack）フレームをＯＬＴ装置に送信する（ステップＳ７０６）。
【００６０】
ＯＬＴ装置は、ＯＮＵ装置からレジスタ確認フレームを受信すると、該レジスタ確認フレームに基づいて当該ＯＮＵ装置をシステムに登録し（登録手段）、さらに、ＯＮＵ装置から送信された伝送速度情報に含まれるＯＮＵ装置本来の伝送速度にてデータを受信可能となるように、受信回路を最適な設定に変更して（ステップＳ７０７）、本処理を終了する。例えば、ＯＬＴ装置により指定された伝送速度が１Ｇであり、ＯＮＵ装置の元の伝送速度が１０Ｇである場合、ＯＮＵ装置の登録後は、伝送速度が１０Ｇのデータを受信可能となるように受信回路５２の設定を変更する。
【００６１】
以上説明したように、本実施の形態によれば、ＯＬＴ装置は、自身に接続すべきＯＮＵ装置の伝送速度を指定して、該指定した伝送速度をＯＮＵ装置に送信すると共に、当該伝送速度に基づいて受信回路５２の設定を変更する。一方、ＯＮＵ装置は、指定された伝送速度で応答フレームを受信回路５２に送信すると共に、自身の元の伝送速度を示す元伝送速度情報をＯＬＴ装置に送信する。これにより、上記第１の実施の形態と同様の効果を奏することができる。
【００６２】
また、ＯＬＴ装置は、ＯＮＵ装置から送信される信号の伝送速度を予め認識することができるので、受信回路５２を各伝送速度に最適な設定に変更することができる。一般的に、伝送速度が遅い程、伝送許容損失を向上することができる。これにより、例えば、高い伝送速度で送受信可能なＯＮＵ装置に対しては、システム運用中に何らかの障害が発生して伝送損失が増加し、伝送エラーが発生した場合であっても、ＯＮＵ装置の伝送速度を遅く設定することにより、最低限の通信を実行することが可能となる。
【００６３】
尚、本実施の形態において、新規にＯＮＵ装置を時分割多重伝送システムに登録する際に、本システムで使用されるＯＮＵ装置の伝送速度のうち最も遅い伝送速度を用いて、ＯＮＵ装置からＯＬＴ装置に信号を送信することも可能である。これにより、システム全体で最低限の通信を実行することが可能となる。
【００６４】
上記実施の形態では、ＯＮＵから送信される上り信号の伝送速度は１Ｇ又は１０Ｇであるが、これに限るものではなく、他の任意の伝送速度であってもよい。
【００６５】
また、上記実施の形態では、時分割多重伝送システムは、１つのＯＬＴ装置と、該ＯＬＴ装置と光スプリッタを介して一対多接続された複数のＯＮＵ装置とで構成されているが、これに限るものではなく、１つのＯＬＴ装置と、該ＯＬＴ装置と光スプリッタを介して一対多接続された少なくとも１つのＯＮＵ装置とで構成されてもよい。
【００６６】
上記実施の形態では、ネットワークシステムはＧＥ−ＰＯＮであるが、これに限るものではなく、ＰＯＮ、ＷＤＭ−ＴＤＭ  ＰＯＮであってもよい。また、上記ＰＯＮは、ＰＤＳ（Passive Double Star）であってもよい。
【産業上の利用の可能性】
【００６７】
本発明に係る時分割多重伝送システム及びその制御方法によれば、センタ側光回線終端装置は、該センタ側回線終端装置に接続すべきユーザ側光回線終端装置の属性情報をユーザ側光回線終端装置に送信すると共に、その属性情報に基づいて、外部からの信号を受信する受信手段の設定を変更する。一方、ユーザ側光回線終端装置は、センタ側光回線終端装置から送信された属性情報が自身の属性情報に一致したときに、応答信号をセンタ側回線終端装置の受信手段に送信する。これにより、受信感度の劣化を抑制しつつ伝送効率を向上することができ、加えてコストアップ、サイズアップ、及び消費電力の増加を防止することができる。
【００６８】
本発明に係る時分割多重伝送システム及びその制御方法によれば、センタ側光回線終端装置は、該センタ側回線終端装置に接続すべきユーザ側光回線終端装置の属性情報をユーザ側光回線終端装置に送信すると共に、属性情報に基づいて、外部からの信号を受信する受信手段の設定を変更する。ユーザ側光回線終端装置は、センタ側光回線終端装置送信された属性情報に基づいて応答信号を受信手段に送信すると共に、ユーザ側光回線終端装置自身の元の属性を示す元属性情報を受信手段に送信する。これにより、上記同様の効果を奏することができる。
【符号の説明】
【００６９】
１０  センタ側光回線終端装置（ＯＬＴ装置）
１１，１７  送信回路
１２，１６  受信回路
１３  送受信制御回路
１４  伝送速度指定情報生成回路
１５  設定情報生成回路
２０  ユーザ側光回線終端装置（ＯＮＵ装置）
２１，２６  送信回路
２２，２５  受信回路
２３  送受信制御回路
２４  伝送速度判定回路
３０  光スプリッタ
【図１】
0005449315.tif 000002
【図２】
0005449315.tif 000003
【図３】
0005449315.tif 000004
【図４】
0005449315.tif 000005
【図５】
0005449315.tif 000006
【図６】
0005449315.tif 000007
【図７】
0005449315.tif 000008
【図８】
0005449315.tif 000009
【図９】
0005449315.tif 000010